(57)【要約】  本特許出願の実施形態は、制御チャネル送信方法および装置を提供する。本特許出願の実施形態において、制御チャネルはｅＲＥＧにマップされ、該ｅＲＥＧは、各単位物理リソースブロックにおける指定された数のｅＲＥＧの中の、決定されたｅＲＥＧ情報に対応し、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数であり、そのため、制御チャネルは、マップされたｅＲＥＧ上で送信されることができる。
2015519014.tif 000002
【特許請求の範囲】
【請求項１】
制御チャネル送信方法であって、
制御チャネルを送信するために少なくとも１つの単位物理リソースブロックを決定する決定ステップであり、各単位物理リソースブロックに含まれるリソース要素は、Ｍ個のグループに分割され、各グループは、Ｎ個のリソース要素を含み、Ｎ個のリソース要素は、Ｎ個の位置に対応し、Ｍは、２以上の整数であり、Ｎは、１以上の整数である、決定ステップと、
制御チャネルの集約レベル、および、各拡張制御チャネル要素ｅＣＣＥに含まれる拡張リソース要素グループｅＲＥＧに従って、各単位物理リソースブロックにマップされるべき制御チャネルのｅＲＥＧ情報を決定する決定ステップと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップするマップステップであり、前記指定された数の前記ｅＲＥＧの中の各ｅＲＥＧは、指定された数のリソース要素によって形成され、前記指定された数の前記リソース要素は、各グループにおけるＳ番目の位置における対応するリソース要素から選択され、ＳはＮ以下の正の整数である、マップステップと、
前記制御チャネルを、前記のマップされたｅＲＥＧ上で送信する送信ステップと、を備える方法。
【請求項２】
請求項１に記載の方法であって、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
方法。
【請求項３】
請求項１または２に記載の方法であって、前記制御チャネルの前記集約レベル、および、各ｅＣＣＥに含まれる前記ｅＲＥＧに従って、各単位物理リソースブロックにマップされるべき前記制御チャネルの前記ｅＲＥＧ情報を決定する前記決定ステップは、
前記制御チャネルの前記集約レベルに従って、各単位物理リソースブロックにマップされるべき前記制御チャネルのｅＣＣＥ情報を決定する決定ステップと、
前記ｅＣＣＥ情報に対応する各ｅＣＣＥに含まれるｅＲＥＧに従って、各単位物理リソースブロックにマップされるべき前記制御チャネルの前記ｅＲＥＧ情報を決定する決定ステップと、を含む、
方法。
【請求項４】
請求項１乃至３のいずれか１項に記載の方法であって、前記の決定されたｅＲＥＧに従って、前記制御チャネルを、各単位物理リソースブロックにおける前記指定された数の前記ｅＲＥＧの中の前記の決定されたｅＲＥＧにマップする前記マップステップの前に、
各単位物理リソースブロックに含まれる前記リソース要素を前記Ｍ個のグループに分割する分割ステップと、
各グループに含まれる前記Ｎ個のリソース要素を、前記Ｎ個の位置にマップするマップステップと、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するように、選択する選択ステップと、をさらに備える、
方法。
【請求項５】
請求項１乃至４のいずれか１項に記載の方法であって、前記位置は、復調参照信号ＤＭＲＳポートに対応する、
方法。
【請求項６】
制御チャネル送信装置であって、
制御チャネルを送信するために、少なくとも１つの単位物理リソースブロックを決定するように構成された決定ユニットであり、各単位物理リソースブロックに含まれるリソース要素はＭ個のグループに分割され、各グループはＮ個のリソース要素を含み、前記Ｎ個のリソース要素は、Ｎ個の位置に対応し、Ｍは２以上の整数であり、Ｎは１以上の整数であり、前記制御チャネルの集約レベルと、各ｅＣＣＥに含まれるｅＲＥＧに従って、各単位物理リソースブロックにマップされるべき前記制御チャネルのｅＲＥＧ情報を決定し、前記ｅＲＥＧ情報をマップユニットに送信する、決定ユニットと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップする前記マップユニットであり、前記指定された数の前記ｅＲＥＧの中の各ＲＥＧは、指定された数のリソース要素によって形成され、前記指定された数の前記リソース要素は、各グループにおけるＳ番目の位置における対応するリソース要素から選択され、Ｓは、Ｎ以下の正の整数である、マップユニットと、
前記マップユニットによってマップされた前記ｅＲＥＧ上で前記制御チャネルを送信するように構成された送信ユニットと、を備える装置。
【請求項７】
請求項６に記載の装置であって、各単位物理リソースブロックに含まれる前記リソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
装置。
【請求項８】
請求項６または７に記載の装置であって、前記決定ユニットは、
前記制御チャネルの前記集約レベルに従って、各単位物理リソースブロックにマップされるべき前記制御チャネルのｅＣＣＥ情報を決定し、前記ｅＣＣＥ情報に対応する各ｅＣＣＥ情報に含まれるｅＲＥＧに従って、各単位物理リソースブロックにマップされるべき前記制御チャネルの前記ｅＲＥＧ情報を決定するように特に構成された、
装置。
【請求項９】
請求項６乃至７のいずれか１項に記載の装置であって、前記マップユニットは、
各単位物理リソースブロックに含まれる前記リソース要素を、少なくとも２つのグループに分割し、
各グループに含まれる前記Ｎ個のリソース要素を、前記Ｎ個の位置にマップし、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するために選択するようにさらに構成された、
装置。
【請求項１０】
請求項６乃至９のいずれか１項に記載の装置であって、前記位置はＤＭＲＳポートに対応する、
装置。
【請求項１１】
制御チャネル送信装置であって、
制御チャネルを送信するために、少なくとも１つの単位物理リソースブロックを決定するように構成されたプロセッサであり、各単位物理リソースブロックに含まれるリソース要素は、Ｍ個のグループに分割され、各グループはＮ個のリソース要素を含み、前記Ｎ個のリソース要素はＮ個の位置に対応し、Ｍは２以上の整数であり、Ｎは１以上の整数であり、前記制御チャネルの集約レベルと、各拡張制御チャネル要素ｅＣＣＥに含まれる拡張リソース要素グループｅＲＥＧとに従って、各単位物理リソースブロックにマップされるべき前記制御チャネルのｅＲＥＧ情報を決定するように構成された、プロセッサと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップするように構成された前記プロセッサであり、前記指定された数の前記ｅＲＥＧの中の各ｅＲＥＧは、指定された数のリソース要素によって形成され、前記指定された数の前記リソース要素は、各グループにおけるＳ番目の位置における対応するリソース要素から選択され、Ｓは、Ｎ以下の正の整数である、前記プロセッサと、
各単位物理リソースブロックにおける前記ｅＲＥＧの位置において前記制御チャネルを送信するように構成された送信機であり、前記ｅＲＥＧは前記プロセッサによってマップされる、送信機と、
各単位物理リソースブロックにおける前記ｅＲＥＧの位置において送信される前記制御チャネルを受信するように構成された受信機であり、前記ｅＲＥＧは前記プロセッサによってマップされる、受信機と、を備える装置。
【請求項１２】
請求項１１に記載の装置であって、各単位物理リソースブロックに含まれる前記リソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
装置。
【請求項１３】
請求項１１または１２に記載の装置であって、前記プロセッサは、
前記制御チャネルの前記集約レベルに従って、各単位物理リソースブロックにマップされるべき前記制御チャネルのｅＣＣＥ情報を決定し、前記ｅＣＣＥ情報に対応する各ｅＣＣＥに含まれるｅＲＥＧに従って、各単位物理リソースブロックにマップされるべき前記制御チャネルの前記ｅＲＥＧ情報を決定するように、特に構成された、
装置。
【請求項１４】
請求項１１乃至１３のいずれか１項に記載の装置であって、前記プロセッサは、
各単位物理リソースブロックに含まれる前記リソース要素を、少なくとも２つのグループに分割し、
各グループに含まれる前記Ｎ個のリソース要素を、前記Ｎ個の位置にマップし、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するように、選択するように、特に構成された、
装置。
【請求項１５】
請求項１１乃至１４のいずれか１項に記載の装置であって、前記位置は、復調参照信号ＤＭＲＳポートに対応する、
装置。
【発明の詳細な説明】
【技術分野】
【０００１】
本特許出願は、通信技術、特に、制御チャネル送信方法および装置に関する。
【背景技術】
【０００２】
ロング・ターム・エボリューション（Ｌｏｎｇ  Ｔｅｒｍ  Ｅｖｏｌｕｔｉｏｎ、ＬＴＥ）システム、またはロング・ターム・エボリューション・アドバンスト（Ｌｏｎｇ  Ｔｅｒｍ  Ｅｖｏｌｕｔｉｏｎ  Ａｄｖａｎｃｅｄ、ＬＴＥ−Ａｄｖａｎｃｅｄ）システム等の無線通信システムにおいて、プリコーディング・モードに基づいて送信される物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、すなわち、拡張された物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）が導入されている。ｅＰＤＣＣＨは、ユーザ装置（Ｕｓｅｒ  Ｅｑｕｉｐｍｅｎｔ、ＵＥ）が、特定の参照信号、すなわち、復調参照信号（Ｄｅｍｏｄｕｌａｔｉｏｎ  Ｒｅｆｅｒｅｎｃｅ  Ｓｉｇｎａｌ、ＤＭＲＳ）に基づいて復調を実行することを可能にする。ｅＰＤＣＣＨは、下りリンクデータチャネルがサブフレームにおいて送信されるエリアにおいて送信され、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を用いた周波数分割を実装し得る。基地局は、端末によって報告されたチャネル状態に従って、良いチャネル状態を有する単位物理リソースブロック（Ｐｈｙｓｉｃａｌ  Ｒｅｓｏｕｒｃｅ  Ｂｌｏｃｋ、ＰＲＢ）上でｅＰＤＣＣＨを送信し得る。サブフレームにおいて、２つのタイムスロットの物理リソースブロックは、リソースブロック・ペア（ＲＢペア）として呼ばれ得、該リソースブロック・ペア（ＲＢペア）は一般に、単位物理リソースブロックとして呼ばれる。
【０００３】
しかし、従来技術において、ｅＰＤＣＣＨ等の制御チャネルを、単位物理リソースブロックにおける拡張リソース要素グループ（Ｅｎｈａｎｃｅｄ  Ｒｅｓｏｕｒｃｅ  Ｅｌｅｍｅｎｔ  Ｇｒｏｕｐ、ｅＰＥＧ）を介してどのように送信するかは提供されていない。
【発明の概要】
【発明が解決しようとする課題】
【０００４】
本特許出願は、単位物理リソースブロックにおけるｅＲＥＧを介してｅＰＤＣＣＨ等の制御チャネルの送信を実装するように、さまざまな態様における制御チャネル送信方法および装置を提供する。
【課題を解決するための手段】
【０００５】
一態様において、本特許出願は、
制御チャネルを送信するための少なくとも１つの単位物理リソースブロックを決定する決定ステップであり、各単位物理リソースブロックに含まれるリソース要素は、Ｍ個のグループに分割され、各グループは、Ｎ個のリソース要素を含み、Ｎ個のリソース要素は、Ｎ個の位置に対応し、Ｍは、２以上の整数であり、Ｎは、１以上の整数である、決定ステップと、
制御チャネルの集約レベルおよび各ｅＣＣＥに含まれるｅＲＥＧに従って、各単位物理リソースブロックにマップされるべき制御チャネルのｅＲＥＧ情報を決定する決定ステップと、
ｅＲＥＧ情報に従って、制御チャネルを、各単位物理リソースブロックにおける指定された数のｅＲＥＧの中の、ｅＲＥＧ情報に対応するｅＲＥＧにマップするマップステップであり、指定された数のｅＲＥＧの中の各ｅＲＥＧは、指定された数のリソース要素によって形成され、指定された数のリソース要素は、各グループにおけるＳ番目の位置における対応するリソース要素から選択され、Ｓは、Ｎ以下の正の整数である、マップステップと、
マップされたｅＲＥＧ上で制御チャネルを送信する送信ステップと、
を含む制御チャネル送信方法を提供する。
【０００６】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【０００７】
上記第１の可能な実装方法を参照する第２の可能な実装方法において、決定されたｅＲＥＧに従って、制御チャネルを、各単位物理リソースブロックにおける指定された数のｅＲＥＧの中の決定されたｅＲＥＧにマップするマップステップの前に、上記方法は、
各単位物理リソースブロックに含まれるリソース要素を、少なくとも２つのグループに分割する分割ステップと、
各グループに含まれるＮ個のリソース要素をＮ個の位置にマップするマップステップと、
すべてのグループにおける、Ｎ個の位置の中のＳ番目の位置に対応し、指定された数のｅＲＥＧの中の各ｅＲＥＧを形成するリソース要素から、指定された数のリソース要素を選択する選択ステップと、
をさらに含む。
【０００８】
上記第１または第２の可能な実装方法を参照する第３の可能な実装方法において、位置は、ＤＭＲＳポートに対応する。
【０００９】
別の態様において、本特許出願は、
制御チャネルを送信するための少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと各ｅＣＣＥに含まれるｅＲＥＧに従って、各単位物理リソースブロックにマップされるべき制御チャネルのｅＲＥＧ情報を決定し、該ｅＲＥＧ情報をマップユニットに送信するように構成された決定ユニットと、
ｅＲＥＧ情報に従って、制御チャネルを、各単位物理リソースブロックにおける指定された数のｅＲＥＧの中のｅＲＥＧ情報に対応するｅＲＥＧにマップするように構成されたマップユニットであり、指定された数のｅＲＥＧの中の各ｅＲＥＧは、指定された数のリソース要素で形成され、指定された数のリソース要素は、各グループにおけるＳ番目の位置における対応するリソース要素から選択され、ＳはＮ以下の正の整数である、マップユニットと、
マップユニットによってマップされたｅＲＥＧ上で制御チャネルを送信するように構成された送信ユニットと、
を含む制御チャネル送信装置を提供する。
【００１０】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【００１１】
上記第１の可能な実装方法を参照する第２の可能な実装方法において、マップユニットは、
各単位物理リソースブロックに含まれるリソース要素を少なくとも２つのグループに分割し、
各グループに含まれるＮ個のリソース要素をＮ個の位置にマップし、
すべてのグループにおける、Ｎ個の位置の中のＳ番目の位置に対応し、指定された数のｅＲＥＧの中の各ｅＲＥＧを形成するリソース要素から、指定された数のリソース要素を選択するようにさらに構成される。
【００１２】
上記第１または第２の可能な実装方法を参照する第３の可能な実装方法において、位置は、ＤＭＲＳポートに対応する。
【００１３】
別の態様において、本特許出願は、
制御チャネルを送信するための少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと、各ｅＣＣＥに含まれるｅＲＥＧとに従って、各単位物理リソースブロックにマップされるべき制御チャネルのｅＲＥＧ情報を決定するように構成されたプロセッサと、
ｅＲＥＧ情報に従って、各単位物理リソースブロックにおける指定された数のｅＲＥＧの中の、ｅＲＥＧ情報に対応する１つのｅＲＥＧに制御チャネルをマップするようにさらに構成されたプロセッサであり、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数である、プロセッサと、
各単位物理リソースブロックにおけるｅＲＥＧの位置において制御チャネルを送信するように構成された送信機であり、ｅＲＥＧはプロセッサによってマップされる、送信機、または、
各単位物理リソースブロックにおけるｅＲＥＧの位置において送信される制御チャネルを受信するように構成された受信機であり、ｅＲＥＧはプロセッサによってマップされる、受信機と、
を含む制御チャネル送信装置を提供する。
【００１４】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【００１５】
第１の可能な実装方法を参照する第２の可能な実装方法において、プロセッサは、
各単位物理リソースブロックに含まれるリソース要素を少なくとも２つのグループに分割し、
各グループに含まれるＮ個のリソース要素をＮ個の位置にマップし、
指定された数のｅＲＥＧの中の各ｅＲＥＧを形成するために、すべてのグループにおいて、Ｎ個の位置の中のＳ番目の位置に対応するリソース要素から指定された数のリソース要素を選択する、ようにさらに構成される。
【００１６】
上記第１または第２の可能な実装方法を参照する第３の可能な実装方法において、位置は、ＤＭＲＳポートに対応する。
【００１７】
本特許発明の実施形態において、制御チャネルが、各単位物理リソースブロックにおける指定された数のｅＲＥＧの中の、ｅＲＥＧ情報に対応するｅＲＥＧにマップされ、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数であり、それにより、制御チャネルはマップされたｅＲＥＧ上で送信され得、それにより、単位物理リソースブロックにおけるｅＲＥＧを介して、ｅＰＤＣＣＨ等の制御チャネルの送信を実装することが、上述の技術的解決策から知られ得る。
【図面の簡単な説明】
【００１８】
本特許出願の実施形態における、または従来技術における技術的解決策をより明確に説明するために、実施形態または従来技術を説明するために必要とされる添付の図面が以下簡単に紹介される。明らかに、以下の説明における添付の図面は、単に、本特許出願のいくつかの実施形態を示すだけであり、当業者はまた、これらの添付の図面から別の図面を創造的努力を必要とせずに導出し得る。
【００１９】
【図１】本特許出願の一実施形態による、制御チャネル送信方法の概略フローチャートである。
【図２】図１に示された実施形態における単位物理リソースブロックにおけるリソース要素の概略グルーピング図である。
【図３】図１に示された実施形態における単位物理リソースブロックにおけるリソース要素の概略グルーピング図である。
【図４】図１に示された実施形態における単位物理リソースブロックにおけるリソース要素の概略グルーピング図である。
【図５】図２乃至図４において示された各グループにおけるリソース要素のＤＭＲＳポート７、ＤＭＲＳポート８、ＤＭＲＳポート９、およびＤＭＲＳポート１０へのマッピングの概略図である。
【図６】図２乃至図４において示された各グループにおけるリソース要素のＤＭＲＳポート７、ＤＭＲＳポート８、ＤＭＲＳポート９、およびＤＭＲＳポート１０へのマッピングの概略図である。
【図７】図２乃至図４において示された各グループにおけるリソース要素の、ＤＭＲＳポート７、ＤＭＲＳポート８、ＤＭＲＳポート９、およびＤＭＲＳポート１０へのマッピングの概略図である。
【図８】単位物理リソースブロックにおける図６に示された各グループを介して取得される１６個のｅＲＥＧの位置の概略図である。
【図９】本特許出願の別の実施形態による、制御チャネル送信装置の概略構造図である。
【図１０Ａ】本特許出願の別の実施形態による、制御チャネル送信装置の概略構造図である。
【図１０Ｂ】本特許出願の別の実施形態による、制御チャネル送信装置の概略構造図である。
【図１１】図３において示された各グループにおけるリソース要素の、ＤＭＲＳポート７、ＤＭＲＳポート８、ＤＭＲＳポート９、およびＤＭＲＳポート１０へのマッピングの概略図である。
【図１２】図３において示された各グループにおけるリソース要素の、ＤＭＲＳポート７、ＤＭＲＳポート８、ＤＭＲＳポート９、およびＤＭＲＳポート１０へのマッピングの概略図である。
【図１３】単位物理リソースブロックにおける図１１に示された各グループを介して取得される１６個のｅＲＥＧの位置の概略図である。
【図１４】単位物理リソースブロックにおける図１２に示された各グループを介して取得される１６個のｅＲＥＧの位置の概略図である。
【発明を実施するための形態】
【００２０】
本特許出願の目的、技術的解決策、およびメリットをより理解しやすくするために、本特許出願の実施形態における技術的解決策が、以下に、本特許出願の実施形態における添付の図面を参照して明確かつ完全に説明される。明らかに、説明される実施形態は、本特許出願の実施形態のすべてというよりも一部に過ぎない。本特許出願の実施形態に基づいて当業者によって創造的努力なしに取得されるすべての他の実施形態は、本特許出願の保護範囲の中に入る。
【００２１】
加えて、本明細書における用語「および／または」は、関連する対象間の関係を説明するだけであり、３つの関係が存在し得ることを示す。例えば、Ａおよび／またはＢは、以下の３つの場合を示し得る：Ａが単独で存在する、ＡおよびＢの両方が存在する、そして、Ｂが単独で存在する。加えて、本明細書における記号「／」は、一般に、関連する対象が「または」の関係にあることを示す。
【００２２】
ロング・ターム・エボリューション（Ｌｏｎｇ  Ｔｅｒｍ  Ｅｖｏｌｕｔｉｏｎ、ＬＴＥ）システム、またはロング・ターム・エボリューション・アドバンスト（Ｌｏｎｇ  Ｔｅｒｍ  Ｅｖｏｌｕｔｉｏｎ  Ａｄｖａｎｃｅｄ、ＬＴＥ−Ａｄｖａｎｃｅｄ）システム等の無線通信システムにおいては一般に、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）モードが、下りリンク多元接続モードとして採用されている。システムの下りリンク・リソースは、時間の観点からは、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅ、ＯＦＤＭ）シンボルに分類され、周波数の観点からは、サブキャリアに分類される。
【００２３】
ＬＴＥリリース８／９／１０（ＬＴＥ  Ｒｅｌｅａｓｅ  ８／９／１０）標準によれば、１つの通常の下りリンク・サブフレームは、２つのタイムスロット（ｓｌｏｔ）を含み、各タイムスロットは、７つまたは６つのＯＦＤＭシンボルを有し、したがって、１つの通常の下りリンク・サブフレームは、合計で１４個のＯＦＤＭシンボルまたは１２個のＯＦＤＭシンボルを含む。ＬＴＥリリース８／９／１０標準はさらに、リソースブロック（Ｒｅｓｏｕｒｃｅ  Ｂｌｏｃｋ、ＲＢ）のサイズを定義する。すなわち、１つのリソースブロックは、周波数領域において１２個のサブキャリアを含み、時間領域において１時間長のサブフレームの半分（すなわち、１タイムスロット）、すなわち、７つまたは６つのＯＦＤＭシンボルを含む。１つのサブフレームにおいて、２つのタイムスロットの１対のリソースブロックは、リソースブロック・ペア（ＲＢ  ｐａｉｒ、ＲＢ  ｐａｉｒ）と呼ばれる。実際の送信において、物理リソースのために使用されるリソースブロック・ペアはまた、物理リソースブロック・ペア（Ｐｈｙｓｉｃａｌ  ＲＢ  ｐａｉｒ、ＰＲＢ  ｐａｉｒ）と呼ばれ、一般に、単位物理リソースブロックとして参照される。従って、以下において説明されるＰＲＢ、ＰＲＢペア、物理リソースブロック、および物理リソースブロック・ペアは、すべてＰＲＢペアと呼ばれる。
【００２４】
サブフレームにおいて運ばれるデータは、サブフレームの物理時間周波数リソースから分割された物理チャネル上のマッピングのために配置される。物理チャネルは実質的に２つのタイプ：制御チャネルおよびサービスチャネルに分類される。それに対応して、制御チャネル上で運ばれるデータは制御データ（一般に制御情報として参照され得る）と呼ばれ得、そして、サービスチャネル上で運ばれるデータは、サービスデータ（一般にデータとして参照され得る）と呼ばれ得る。サブフレームの送信の基本的な目的はサービスデータの送信であり、制御チャネルは、サービスデータの送信を助けるために使用される。
【００２５】
ＬＴＥシステムにおいて、１つの完全な物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）は、１以上の制御チャネル要素（Ｃｏｎｔｒｏｌ  Ｃｈａｎｎｅｌ  Ｅｌｅｍｅｎｔ、ＣＣＥ）にマップされ得る。ＬＴＥリリース８／９／１０によれば、１つのＰＤＣＣＨは、１つ、２つ、４つ、または８つのＣＣＥにマップされ得、すなわち、１つ、２つ、４つ、または８つのＣＣＥで形成され得、それぞれ、集約レベル１、２、４、または８に対応し得る。
【００２６】
多入力多出力（Ｍｕｌｔｉｐｌｅ  Ｉｎｐｕｔ  Ｍｕｌｔｉｐｌｅ  Ｏｕｔｐｕｔ、ＭＩＭＯ）および多地点協調（Ｃｏｏｒｄｉｎａｔｅｄ  Ｍｕｌｔｉｐｌｅ  Ｐｏｉｎｔｓ、ＣｏＭＰ）等の技術の導入に伴って、プリコーディング・モードに基づいて送信される物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、すなわち、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）が導入される。ｅＰＤＣＣＨは、ユーザ装置（Ｕｓｅｒ  Ｅｑｕｉｐｍｅｎｔ、ＵＥ）が、特定の参照信号、すなわち、復調参照信号（Ｄｅｍｏｄｕｌａｔｉｏｎ  Ｒｅｆｅｒｅｎｃｅ  Ｓｉｇｎａｌ、ＤＭＲＳ）に基づいて復調を実行することを可能にする。各ｅＰＤＣＣＨは、それでも、ＣＣＥに類似するｋ個の論理要素（該論理要素は本明細書において拡張制御チャネル要素（Ｅｎｈａｎｃｅｄ  Ｃｏｎｔｒｏｌ  Ｃｈａｎｎｅｌ  Ｅｌｅｍｅｎｔ、ｅＣＣＥ）として定義される）にマップされ得、ＵＥは、端末側においてブラインド検出を実行する必要がある。ＰＤＣＣＨの集約レベルの定義に従って、集約レベルＬ（Ｌ＝１、２、４、または８）のｅＰＤＣＣＨは、Ｌ個のｅＣＣＥにマップされ得、すなわち、Ｌ個のｅＣＣＥで形成され得る。１つのｅＣＣＥは１以上のｅＲＥＧで形成される。
【００２７】
図１は、図１に示されるように、本特許出願の一実施形態による、制御チャネル送信方法の概略フローチャートである。
【００２８】
１０１：制御チャネルを送信するための少なくとも１つの単位物理リソースブロックを決定する決定ステップであり、各単位物理リソースブロックに含まれるリソース要素は、Ｍ個のグループに分割され、各グループはＮ個のリソース要素を含み、Ｎ個のリソース要素はＮ個の位置に対応し、Ｍは、２以上の整数であり、Ｎは、１以上の整数である、決定ステップ。
【００２９】
１０２：制御チャネルの集約レベルおよび各ｅＣＣＥに含まれるｅＲＥＧに従って、各単位物理リソースブロックにマップされるべき制御チャネルのｅＲＥＧ情報を決定する決定ステップ。
【００３０】
１０３：ｅＲＥＧ情報に従って、各単位物理リソースブロックにおける指定された数のｅＲＥＧの中の、ｅＲＥＧ情報に対応するｅＲＥＧに制御チャネルをマップするマップステップであり、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数である、マップステップ。
【００３１】
１０４：マップされたｅＲＥＧ上で制御チャネルを送信する送信ステップ。
【００３２】
制御チャネルは、特に、拡張された物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００３３】
オプション的に、本実施形態の可能な実装方法において、１０２において、特に、各単位物理リソースブロックにマップされるべき制御チャネルのｅＣＣＥ情報は、制御チャネルの集約レベルに従って決定され得る。そして、各単位物理リソースブロックにマップされるべき制御チャネルのｅＲＥＧ情報は、ｅＣＣＥ情報に対応する各ｅＣＣＥに含まれるｅＲＥＧに従って決定され得る。
【００３４】
特に、１０２において、決定されたｅＲＥＧ情報は、ｅＲＥＧの数およびｅＲＥＧ識別子を含み得る。
【００３５】
オプション的に、本実施形態の可能な実装方法において、各単位物理リソースブロックに含まれるリソース要素は、各単位物理リソースブロックにおけるすべてのリソース要素を含み得る。
【００３６】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００３７】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００３８】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００３９】
オプション的に、本実施形態の可能な実装方法において、１０３の前に、各単位物理リソースブロックに含まれるリソース要素は、少なくとも２つのグループにさらに分割され得、そして、各グループに含まれるＮ個のリソース要素はＮ個の位置にマップされ、そして、指定された数のリソース要素が、すべてのグループにおける、Ｎ個の位置の中のＳ番目の位置に対応するリソース要素から選択されて指定された数のｅＲＥＧの中の各ｅＲＥＧを形成する。特に、Ｎ行Ｍ列を用いた行入列出インターリーバ（ｒｏｗ−ｉｎ  ｃｏｌｕｍｎ−ｏｕｔ  ｉｎｔｅｒｌｅａｖｅｒ）が採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００４０】
オプション的に、本実施形態における可能な実装方法において、位置は、ＤＭＲＳポートにさらに対応し得る。
【００４１】
１つの単位物理リソースブロック（合計で１６８個のリソース要素を含む）が周波数領域において１２個のサブキャリアを含み、時間領域において１４個のＯＦＤＭシンボルを含むことは、以下における１つの例とされる。位置は、ＤＭＲＳポート７、ＤＭＲＳポート８、ＤＭＲＳポート９、およびＤＭＲＳポート１０に対応し、ここで、７、８、９、および１０は、すべてＤＭＲＳポートのシリアル番号である。
【００４２】
図２乃至図４において示されているように、水平の線によってマークされた影の部分は、ＤＭＲＳによってマップされたリソース要素を表す。図２乃至図４は、概略グルーピング図であり、（ＤＭＲＳによってマップされた２４個のリソース要素を含む）１６８個のリソース要素によって形成された単位物理リソースブロックにおいて、ＤＭＲＳによってマップされた２４個のリソース要素が除かれた後、残りのリソース要素が３６個のグループに分割されている（そのシリアル番号は１から３６である。）。図において、各四角はリソース要素を表し、垂直方向は周波数領域のリソースを表し、水平方向は時間領域のリソースを表し、四角内のシリアル番号Ｘは、グループのシリアル番号を表している。
【００４３】
図５乃至図７において示されているように、水平の線によってマークされた影の部分は、ＤＭＲＳによってマップされたリソース要素を表す。図５乃至図７は、図２乃至図４において示された各グループにおけるリソース要素の、ＤＭＲＳポート７、ＤＭＲＳポート８、ＤＭＲＳポート９、およびＤＭＲＳポート１０へのマッピングの概略図である。各四角はリソース要素を表し、垂直方向は周波数領域のリソースを表し、水平方向は時間領域のリソースを表し、四角内のシリアル番号Ｘ（Ｙ）は、グループのシリアル番号ＸおよびＤＭＲＳポートのシリアル番号Ｙを表している。
【００４４】
留意すべきことは、図５乃至図７は、各グループにおけるリソース要素のＤＭＲＳポート７、ＤＭＲＳポート８、ＤＭＲＳポート９、およびＤＭＲＳポート１０へのマッピングのマッピングのいくつかの例を示すに過ぎないということである。例えば、マッピング規則は｛７、８、９、１０｝であり、｛７、９、８、１０｝等の他のマッピング規則もまた、本実施形態に適用可能である。特定の例が図１１乃至図１２において示されているが、本実施形態においてこれらに限定されない。
【００４５】
留意すべきことは、本実施形態において提供される技術的解決策は、ＤＭＲＳポートの他の番号、例えば、ＤＭＲＳポート｛７、９｝またはＤＭＲＳ｛８、１０｝に適用され得、この場合、マッピング規則は、｛７、９、７、９｝または｛８、１０、８、１０｝であり得るということである。
【００４６】
図３において示されているグルーピングを例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図６において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図８において示されるように、水平の線によってマークされた影の部分はＤＭＲＳによってマップされたリソース要素を表す。図８において、各四角はリソース要素を表し、垂直方向は周波数領域のリソースを表し、水平方向は時間領域のリソースを表し、四角内のシリアル番号Ｚは指定された数のｅＲＥＧのシリアル番号を表す。
【００４７】
図３において示されるグルーピングを依然として例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図１１において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図１３において示されるように、水平の線によってマークされた影の部分はＤＭＲＳによってマップされたリソース要素を表す。図１３において、各四角はリソース要素を表し、垂直方向は周波数領域のリソースを表し、水平方向は時間領域のリソースを表し、四角内のシリアル番号Ｚは指定された数のｅＲＥＧのシリアル番号を表す。
【００４８】
図３において示されるグルーピングを依然として例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図１２において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図１４において示されるように、水平の線によってマークされた影の部分はＤＭＲＳによってマップされたリソース要素を表す。図１４において、各四角はリソース要素を表し、垂直方向は周波数領域のリソースを表し、水平方向は時間領域のリソースを表し、四角内のシリアル番号Ｚは指定された数のｅＲＥＧのシリアル番号を表す。
【００４９】
もし、各単位物理リソースブロックが８個のｅＲＥＧを持ち、各ｅＲＥＧが１８個のリソース要素によって形成されると想定するならば、本実施形態において提供される技術的解決策は、単位リソースブロックにおける指定された数のｅＲＥＧの位置を取得することを採用し得るか、または、図８に示される２つずつのｅＲＥＧが、１つのｅＲＥＧに直接統合され得る。
【００５０】
本実施形態において、制御チャネルはｅＲＥＧにマップされ、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、制御チャネルはマップされたｅＲＥＧ上で送信され得、それによって、単位物理リソースブロックにおけるｅＲＥＧを介して、ｅＰＤＣＣＨ等の制御チャネルの送信が実装される。
【００５１】
上述の方法の実施形態について、説明を簡単にするために、該方法は一連の動作の組合せとして説明されているが、本特許出願によれば、いくつかのステップは別の順序において実行され得るので、または同時に実行され得るので、本特許出願は、説明された動作の順序によって制限されないことを当業者は理解するということに留意すべきである。そして、当業者はまた、本明細書において記載された実施形態は例示の実施形態であり、その中に含まれる動作およびモジュールは、本特許出願にとって不可欠ではないことを理解すべきである。
【００５２】
上述の実施形態において、実施形態の説明は異なる点が強調され、ある実施形態において詳しく説明されなかった部分については、他の実施形態の関連する説明が参照され得る。
【００５３】
図９は、本特許出願の他の実施形態に従った、制御チャネル送信装置の概略構造図である。図９に示されるように、本実施形態における制御チャネル送信装置は、決定ユニット９１、マップユニット９２、および送信ユニット９３を含み得る。決定ユニット９１は、制御チャネルを送信するために、少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと、各ｅＣＣＥに含まれるｅＲＥＧに従って、各単位物理リソースブロックにマップされるべき制御チャネルのｅＲＥＧ情報を決定し、該ｅＲＥＧ情報をマップユニット９２に送信するように構成される。マップユニット９２は、ｅＲＥＧ情報に従って、制御チャネルを、各単位物理リソースブロックにおける指定された数のｅＲＥＧの中の、該ｅＲＥＧ情報に対応するｅＲＥＧにマップするように構成され、ここで、指定された数のｅＲＥＧの中の各ｅＲＥＧは指定された数のリソース要素によって形成され、該指定された数のリソース要素は、各グループにおけるＳ番目の位置における対応するリソース要素から選択され、Ｓは、Ｎ以下の正の整数である。送信ユニット９３は、マップユニット９２によってマップされたｅＲＥＧ上で制御チャネルを送信するように構成される。
【００５４】
制御チャネルは特に、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００５５】
オプション的に、本実施形態の可能な実装方法において、決定ユニット９１は特に、制御チャネルの集約レベルに従って、各単位物理リソースブロックにマップされるべき制御チャネルのｅＣＣＥ情報を決定し得、また、該ｅＣＣＥ情報に対応する各ｅＣＣＥ含まれるｅＲＥＧに従って、各単位物理リソースブロックにマップされるべき制御チャネルのｅＲＥＧ情報を決定し得る。
【００５６】
特に、決定ユニット９１によって決定されたｅＲＥＧ情報は、ｅＲＥＧの数およびｅＲＥＧ識別子を含み得る。
【００５７】
オプション的に、本実施形態の可能な実装方法において、各単位物理リソースブロックに含まれるリソース要素は、各単位物理リソースブロックにおけるすべてのリソース要素を含み得る。
【００５８】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００５９】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００６０】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００６１】
オプション的に、本実施形態の可能な実装方法において、マップユニット９２はさらに、各単位物理リソースブロックに含まれるリソース要素を、少なくとも２つのグループに分割し得、そして、各グループに含まれるＮ個のリソース要素をＮ個の位置にマップし得、そして、すべてのグループにおける、Ｎ個の位置の中のＳ番目の位置に対応するリソース要素から指定された数のリソース要素を選択して、指定された数のｅＲＥＧの中の各ｅＲＥＧを形成し得る。特に、Ｎ行Ｍ列を用いた行入列出インターリーバが採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００６２】
オプション的に、本実施形態の可能な実装方法において、位置は、ＤＭＲＳポートにさらに対応し得る。
【００６３】
本実施形態において、マップユニットは、制御チャネルをｅＲＥＧにマップし、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、送信ユニットは、マップユニットによってマップされたｅＲＥＧ上で制御チャネルを送信し得、それによって、単位物理リソースブロックにおけるｅＲＥＧを介して、ｅＰＤＣＣＨ等の制御チャネルの送信が実装される。
【００６４】
図１０Ａおよび図１０Ｂは、本特許出願の他の実施形態に従った、制御チャネル送信装置の概略構造図である。図１０Ａおよび図１０Ｂに示されるように、本実施形態における制御チャネル送信装置は、プロセッサ１００１および送信機１００２、または、プロセッサ１００１および受信機１００３、を含み得る。プロセッサ１００１は、制御チャネルを送信するために少なくとも１つの単位物理リソースブロックを決定するように構成され、ここで、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルおよび各ｅＣＣＥに含まれるｅＲＥＧに従って、各単位物理リソースにマップされるべき制御チャネルのｅＲＥＧ情報を決定するように構成される。プロセッサ１００１はさらに、制御チャネルを、ｅＲＥＧ情報に従って、各単位物理リソースブロックにおける指定された数のｅＲＥＧの中のｅＲＥＧに対応するｅＲＥＧにマップするように構成される。ここで、指定された数のｅＲＥＧの中の各ｅＲＥＧは指定された数のリソース要素によって形成され、該指定された数のリソース要素は、各グループのＳ番目の位置における対応するリソース要素から選択され、ＳはＮ以下の正の整数である。送信機１００２は、各単位物理リソースブロックにおけるｅＲＥＧの位置において制御チャネルを送信するように構成される。ここで、ｅＲＥＧはプロセッサ１００１によってマップされる。
【００６５】
受信機１００３は、各単位物理リソースブロックにおけるｅＲＥＧの位置において送信される制御チャネルを受信するように構成される。ここで、ｅＲＥＧはプロセッサ１００１によってマップされる。
【００６６】
制御チャネルは特に、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００６７】
オプション的に、本実施形態の可能の実装方法において、プロセッサ１００１は、制御チャネルの集約レベルに従って、各単位物理リソースブロックにマップされるべき制御チャネルのｅＣＣＥ情報を決定し得、また、該ｅＣＣＥ情報に対応する各ｅＣＣＥ含まれるｅＲＥＧに従って、各単位物理リソースブロックにマップされるべき制御チャネルのｅＲＥＧ情報を決定し得る。
【００６８】
特に、プロセッサ１００１によって決定されたｅＲＥＧ情報は、ｅＲＥＧの数およびｅＲＥＧ識別子を含み得る。
【００６９】
オプション的に、本実施形態の可能な実装方法において、各単位物理リソースブロックに含まれるリソース要素は、各単位物理リソースブロックにおけるすべてのリソース要素を含み得る。
【００７０】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００７１】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００７２】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００７３】
オプション的に、本実施形態の可能な実装方法において、プロセッサ１００１はさらに、各単位物理リソースブロックに含まれるリソース要素を、少なくとも２つのグループに分割し得、そして、各グループに含まれるＮ個のリソース要素をＮ個の位置にマップし得、そして、すべてのグループにおける、Ｎ個の位置の中のＳ番目の位置に対応するリソース要素から指定された数のリソース要素を選択して、指定された数のｅＲＥＧの中の各ｅＲＥＧを形成し得る。特に、Ｎ行Ｍ列を用いた行入列出インターリーバが採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００７４】
オプション的に、本実施形態の可能な実装方法において、位置は、ＤＭＲＳポートにさらに対応し得る。
【００７５】
本実施形態において、プロセッサは、制御チャネルをｅＲＥＧにマップし、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、送信ユニットは、マップユニットによってマップされたｅＲＥＧ上で制御チャネルを送信し得、それによって、単位物理リソースブロックにおけるｅＲＥＧを介して、ｅＰＤＣＣＨ等の制御チャネルの送信が実装される。
【００７６】
当業者によって明確に理解され得べきことは、便利で簡単な説明を目的として、上述の特定の作業プロセス、デバイスおよびユニットについて、方法実施形態における対応するプロセスが参照され得、詳細は本明細書において繰り返し説明されないということである。
【００７７】
本特許出願において提供されるいくつかの実施形態において、理解されるべきことは、開示されたシステム、デバイス、および方法は、他の方法において実装され得るということである。例えば、説明されたデバイスの実施形態は単なる例示に過ぎない。例えば、ユニット分割は単なる論理的機能分割に過ぎず、実際に実装において他の分割であり得る。例えば、複数のユニットまたはコンポーネントは、組み合わされ、または統合されて別のシステムとなり得、また、いくつかの特徴は無視され、または実行されない。加えて、示された、または議論された結合または直接的結合または通信接続は、いくつかのインターフェイスを介して達成され得、そしてデバイスまたはユニット間の間接的結合または通信接続は、電気的、機械的、または他の形であり得る。
【００７８】
別々のコンポーネントとして説明されたユニットは物理的に別々であり得、または別々でなくもあり得る。ユニットとして示されたコンポーネントは、物理的なユニットであり得、または物理的なユニットでなくもあり得る。すなわち、複数のネットワーク・ユニット上に統合または分散し得る。ユニットの一部またはすべては、実際に要求に従った実施形態の解決策の目的を達成するために選択され得る。
【００７９】
加えて、本特許出願の実施形態におけるさまざまな機能ユニットは、１つの処理ユニットに統合され得、または、さまざまな別々の物理ユニットとして存在し得、また、２以上のユニットがまた、１つのユニットに統合され得る。統合されたユニットは、ハードウェアを介して実装され得、または、ハードウェアおよびソフトウェア機能ユニットという形において実装され得る。
【００８０】
ソフトウェア機能ユニットの形において実装された統合ユニットは、コンピュータ可読記憶媒体内に格納され得る。該ソフトウェア機能ユニットは記憶媒体内に格納され、該記憶媒体は、コンピュータ装置（パーソナルコンピュータ、サーバ、またはネットワーク装置等）またはプロセッサ（プロセッサ）に、本特許出願の実施形態において説明されたような方法のステップの一部を実行するように命令するためのいくつかの命令を含む。記憶媒体は、ＵＳＢフラッシュディスク、モバイル・ハードディスク、リードオンリーメモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、または光ディスク等の、プログラムコードを格納できるさまざまな媒体を含む。
【００８１】
最後に、留意すべきことは、上述の実施形態は本特許発明の技術的解決策を説明するために提供されたに過ぎず、本特許発明を制限することを意図するものではないということである。本特許出願が上述の実施形態を参照して詳細に説明されてきたが、そのような修正または置換が、対応する技術的解決策の本質を、本特許出願の精神および範囲から逸脱させないならば、上述の実施形態において説明された技術的解決策に対して、それでも修正をすることが可能であり、また、技術的解決策におけるいくつかの技術的特徴に対して均等の置換をすることが可能であることは、当業者によって理解されるべきである。
【図１】
2015519014.tif 000003
【図２】
2015519014.tif 000004
【図３】
2015519014.tif 000005
【図４】
2015519014.tif 000006
【図５】
2015519014.tif 000007
【図６】
2015519014.tif 000008
【図７】
2015519014.tif 000009
【図８】
2015519014.tif 000010
【図９】
2015519014.tif 000011
【図１０Ａ】
2015519014.tif 000012
【図１０Ｂ】
2015519014.tif 000013
【図１１】
2015519014.tif 000014
【図１２】
2015519014.tif 000015
【図１３】
2015519014.tif 000016
【図１４】
2015519014.tif 000017
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
制御チャネル送信方法であって、
制御チャネルを送信するために少なくとも１つの単位物理リソースブロックを決定する決定ステップであり、各単位物理リソースブロックに含まれるリソース要素は、Ｍ個のグループに分割され、各グループは、Ｎ個のリソース要素を含み、Ｎ個のリソース要素は、Ｎ個の位置に対応し、Ｍは、２以上の整数であり、Ｎは、１以上の整数である、決定ステップと、
制御チャネルの集約レベル、および、各拡張制御チャネル要素ｅＣＣＥに含まれる拡張リソース要素グループｅＲＥＧに従って、各単位物理リソースブロックにマップされるべき制御チャネルのｅＲＥＧ情報を決定する決定ステップと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップするマップステップであり、前記指定された数の前記ｅＲＥＧの中の各ｅＲＥＧは、指定された数のリソース要素によって形成され、前記指定された数の前記リソース要素は、各グループにおけるＳ番目の位置における対応するリソース要素から選択され、ＳはＮ以下の正の整数である、マップステップと、
前記制御チャネルを、前記のマップされたｅＲＥＧ上で送信する送信ステップと、を備える方法。
【請求項２】
請求項１に記載の方法であって、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
方法。
【請求項３】
請求項１または２に記載の方法であって、前記制御チャネルの前記集約レベル、および、各ｅＣＣＥに含まれる前記ｅＲＥＧに従って、各単位物理リソースブロックにマップされるべき前記制御チャネルの前記ｅＲＥＧ情報を決定する前記決定ステップは、
前記制御チャネルの前記集約レベルに従って、各単位物理リソースブロックにマップされるべき前記制御チャネルのｅＣＣＥ情報を決定する決定ステップと、
前記ｅＣＣＥ情報に対応する各ｅＣＣＥに含まれるｅＲＥＧに従って、各単位物理リソースブロックにマップされるべき前記制御チャネルの前記ｅＲＥＧ情報を決定する決定ステップと、を含む、
方法。
【請求項４】
請求項１乃至３のいずれか１項に記載の方法であって、前記の決定されたｅＲＥＧに従って、前記制御チャネルを、各単位物理リソースブロックにおける前記指定された数の前記ｅＲＥＧの中の前記の決定されたｅＲＥＧにマップする前記マップステップの前に、
各単位物理リソースブロックに含まれる前記リソース要素を前記Ｍ個のグループに分割する分割ステップと、
各グループに含まれる前記Ｎ個のリソース要素を、前記Ｎ個の位置にマップするマップステップと、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するように、選択する選択ステップと、をさらに備え、
前記Ｎ個のリソース要素は、Ｎ個の位置に対応し、Ｍは２以上の整数であり、Ｎは１以上の整数である、
方法。
【請求項５】
請求項１乃至４のいずれか１項に記載の方法であって、前記位置は、復調参照信号ＤＭＲＳポートに対応する、
方法。
【請求項６】
制御チャネル送信装置であって、
制御チャネルを送信するために、少なくとも１つの単位物理リソースブロックを決定するように構成された決定ユニットであり、各単位物理リソースブロックに含まれるリソース要素はＭ個のグループに分割され、各グループはＮ個のリソース要素を含み、前記Ｎ個のリソース要素は、Ｎ個の位置に対応し、Ｍは２以上の整数であり、Ｎは１以上の整数であり、前記制御チャネルの集約レベルと、各ｅＣＣＥに含まれるｅＲＥＧに従って、各単位物理リソースブロックにマップされるべき前記制御チャネルのｅＲＥＧ情報を決定し、前記ｅＲＥＧ情報をマップユニットに送信する、決定ユニットと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップする前記マップユニットであり、前記指定された数の前記ｅＲＥＧの中の各ＲＥＧは、指定された数のリソース要素によって形成され、前記指定された数の前記リソース要素は、各グループにおけるＳ番目の位置における対応するリソース要素から選択され、Ｓは、Ｎ以下の正の整数である、マップユニットと、
前記マップユニットによってマップされた前記ｅＲＥＧ上で前記制御チャネルを送信するように構成された送信ユニットと、を備える装置。
【請求項７】
請求項６に記載の装置であって、各単位物理リソースブロックに含まれる前記リソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
装置。
【請求項８】
請求項６または７に記載の装置であって、前記決定ユニットは、
前記制御チャネルの前記集約レベルに従って、各単位物理リソースブロックにマップされるべき前記制御チャネルのｅＣＣＥ情報を決定し、前記ｅＣＣＥ情報に対応する各ｅＣＣＥ情報に含まれるｅＲＥＧに従って、各単位物理リソースブロックにマップされるべき前記制御チャネルの前記ｅＲＥＧ情報を決定するように特に構成された、
装置。
【請求項９】
請求項６乃至８のいずれか１項に記載の装置であって、前記マップユニットは、
各単位物理リソースブロックに含まれる前記リソース要素を、少なくとも２つのグループに分割し、
各グループに含まれる前記Ｎ個のリソース要素を、前記Ｎ個の位置にマップし、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するために選択するようにさらに構成された、
装置。
【請求項１０】
請求項６乃至９のいずれか１項に記載の装置であって、前記位置はＤＭＲＳポートに対応する、
装置。
【請求項１１】
制御チャネル送信装置であって、
制御チャネルを送信するために、少なくとも１つの単位物理リソースブロックを決定するように構成されたプロセッサであり、各単位物理リソースブロックに含まれるリソース要素は、Ｍ個のグループに分割され、各グループはＮ個のリソース要素を含み、前記Ｎ個のリソース要素はＮ個の位置に対応し、Ｍは２以上の整数であり、Ｎは１以上の整数であり、前記制御チャネルの集約レベルと、各拡張制御チャネル要素ｅＣＣＥに含まれる拡張リソース要素グループｅＲＥＧとに従って、各単位物理リソースブロックにマップされるべき前記制御チャネルのｅＲＥＧ情報を決定するように構成された、プロセッサと、
前記ｅＲＥＧ情報に従って、前記制御チャネルを、各単位物理リソースブロックにおける指定された数のｅＲＥＧの中の、前記ｅＲＥＧ情報に対応するｅＲＥＧにマップするように構成された前記プロセッサであり、前記指定された数の前記ｅＲＥＧの中の各ｅＲＥＧは、指定された数のリソース要素によって形成され、前記指定された数の前記リソース要素は、各グループにおけるＳ番目の位置における対応するリソース要素から選択され、Ｓは、Ｎ以下の正の整数である、前記プロセッサと、
各単位物理リソースブロックにおける前記ｅＲＥＧの位置において前記制御チャネルを送信するように構成された送信機であり、前記ｅＲＥＧは前記プロセッサによってマップされる、送信機と、
各単位物理リソースブロックにおける前記ｅＲＥＧの位置において送信される前記制御チャネルを受信するように構成された受信機であり、前記ｅＲＥＧは前記プロセッサによってマップされる、受信機と、を備える装置。
【請求項１２】
請求項１１に記載の装置であって、各単位物理リソースブロックに含まれる前記リソース要素は、
各単位物理リソースブロックにおけるすべてのリソース要素、または、
各単位物理リソースブロックにおけるすべてのリソース要素の中の、参照信号および／または他の制御チャネルにマップされるリソース要素以外のリソース要素、を含む、
装置。
【請求項１３】
請求項１１または１２に記載の装置であって、前記プロセッサは、
前記制御チャネルの前記集約レベルに従って、各単位物理リソースブロックにマップされるべき前記制御チャネルのｅＣＣＥ情報を決定し、前記ｅＣＣＥ情報に対応する各ｅＣＣＥに含まれるｅＲＥＧに従って、各単位物理リソースブロックにマップされるべき前記制御チャネルの前記ｅＲＥＧ情報を決定するように、特に構成された、
装置。
【請求項１４】
請求項１１乃至１３のいずれか１項に記載の装置であって、前記プロセッサは、
各単位物理リソースブロックに含まれる前記リソース要素を、少なくとも２つのグループに分割し、
各グループに含まれる前記Ｎ個のリソース要素を、前記Ｎ個の位置にマップし、
指定された数のリソース要素を、すべてのグループにおける、前記Ｎ個の位置の中の前記Ｓ番目の位置に対応するリソース要素から、前記指定された数の前記ｅＲＥＧの中の各ｅＲＥＧを形成するように、選択するように、特に構成された、
装置。
【請求項１５】
請求項１１乃至１４のいずれか１項に記載の装置であって、前記位置は、復調参照信号ＤＭＲＳポートに対応する、
装置。
【手続補正２】
【補正対象書類名】明細書
【補正対象項目名】全文
【補正方法】変更
【補正の内容】
【発明の詳細な説明】
【技術分野】
【０００１】
本特許出願は、通信技術、特に、制御チャネル送信方法および装置に関する。
【背景技術】
【０００２】
ロング・ターム・エボリューション（Ｌｏｎｇ  Ｔｅｒｍ  Ｅｖｏｌｕｔｉｏｎ、ＬＴＥ）システム、またはロング・ターム・エボリューション・アドバンスト（Ｌｏｎｇ  Ｔｅｒｍ  Ｅｖｏｌｕｔｉｏｎ  Ａｄｖａｎｃｅｄ、ＬＴＥ−Ａｄｖａｎｃｅｄ）システム等の無線通信システムにおいて、プリコーディング・モードに基づいて送信される物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、すなわち、拡張された物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）が導入されている。ｅＰＤＣＣＨは、ユーザ装置（Ｕｓｅｒ  Ｅｑｕｉｐｍｅｎｔ、ＵＥ）が、特定の参照信号、すなわち、復調参照信号（Ｄｅｍｏｄｕｌａｔｉｏｎ  Ｒｅｆｅｒｅｎｃｅ  Ｓｉｇｎａｌ、ＤＭＲＳ）に基づいて復調を実行することを可能にする。ｅＰＤＣＣＨは、下りリンクデータチャネルがサブフレームにおいて送信されるエリアにおいて送信され、物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を用いた周波数分割を実装し得る。基地局は、端末によって報告されたチャネル状態に従って、良いチャネル状態を有する単位物理リソースブロック（Ｐｈｙｓｉｃａｌ  Ｒｅｓｏｕｒｃｅ  Ｂｌｏｃｋ、ＰＲＢ）上でｅＰＤＣＣＨを送信し得る。サブフレームにおいて、２つのタイムスロットの物理リソースブロックは、リソースブロック・ペア（ＲＢペア）として呼ばれ得、該リソースブロック・ペア（ＲＢペア）は一般に、単位物理リソースブロックとして呼ばれる。
【０００３】
しかし、従来技術において、ｅＰＤＣＣＨ等の制御チャネルを、単位物理リソースブロックにおける拡張リソース要素グループ（Ｅｎｈａｎｃｅｄ  Ｒｅｓｏｕｒｃｅ  Ｅｌｅｍｅｎｔ  Ｇｒｏｕｐ、ｅＰＥＧ）を介してどのように送信するかは提供されていない。
【発明の概要】
【発明が解決しようとする課題】
【０００４】
本特許出願は、単位物理リソースブロックにおけるｅＲＥＧを介してｅＰＤＣＣＨ等の制御チャネルの送信を実装するように、さまざまな態様における制御チャネル送信方法および装置を提供する。
【課題を解決するための手段】
【０００５】
一態様において、本特許出願は、
制御チャネルを送信するための少なくとも１つの単位物理リソースブロックを決定する決定ステップであり、各単位物理リソースブロックに含まれるリソース要素は、Ｍ個のグループに分割され、各グループは、Ｎ個のリソース要素を含み、Ｎ個のリソース要素は、Ｎ個の位置に対応し、Ｍは、２以上の整数であり、Ｎは、１以上の整数である、決定ステップと、
制御チャネルの集約レベルおよび各ｅＣＣＥに含まれるｅＲＥＧに従って、各単位物理リソースブロックにマップされるべき制御チャネルのｅＲＥＧ情報を決定する決定ステップと、
ｅＲＥＧ情報に従って、制御チャネルを、各単位物理リソースブロックにおける指定された数のｅＲＥＧの中の、ｅＲＥＧ情報に対応するｅＲＥＧにマップするマップステップであり、指定された数のｅＲＥＧの中の各ｅＲＥＧは、指定された数のリソース要素によって形成され、指定された数のリソース要素は、各グループにおけるＳ番目の位置における対応するリソース要素から選択され、Ｓは、Ｎ以下の正の整数である、マップステップと、
マップされたｅＲＥＧ上で制御チャネルを送信する送信ステップと、
を含む制御チャネル送信方法を提供する。
【０００６】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【０００７】
上記第１の可能な実装方法を参照する第２の可能な実装方法において、決定されたｅＲＥＧに従って、制御チャネルを、各単位物理リソースブロックにおける指定された数のｅＲＥＧの中の決定されたｅＲＥＧにマップするマップステップの前に、上記方法は、
各単位物理リソースブロックに含まれるリソース要素を、少なくとも２つのグループに分割する分割ステップと、
各グループに含まれるＮ個のリソース要素をＮ個の位置にマップするマップステップと、
すべてのグループにおける、Ｎ個の位置の中のＳ番目の位置に対応し、指定された数のｅＲＥＧの中の各ｅＲＥＧを形成するリソース要素から、指定された数のリソース要素を選択する選択ステップと、
をさらに含む。
【０００８】
上記第１または第２の可能な実装方法を参照する第３の可能な実装方法において、位置は、ＤＭＲＳポートに対応する。
【０００９】
別の態様において、本特許出願は、
制御チャネルを送信するための少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと各ｅＣＣＥに含まれるｅＲＥＧに従って、各単位物理リソースブロックにマップされるべき制御チャネルのｅＲＥＧ情報を決定し、該ｅＲＥＧ情報をマップユニットに送信するように構成された決定ユニットと、
ｅＲＥＧ情報に従って、制御チャネルを、各単位物理リソースブロックにおける指定された数のｅＲＥＧの中のｅＲＥＧ情報に対応するｅＲＥＧにマップするように構成されたマップユニットであり、指定された数のｅＲＥＧの中の各ｅＲＥＧは、指定された数のリソース要素で形成され、指定された数のリソース要素は、各グループにおけるＳ番目の位置における対応するリソース要素から選択され、ＳはＮ以下の正の整数である、マップユニットと、
マップユニットによってマップされたｅＲＥＧ上で制御チャネルを送信するように構成された送信ユニットと、
を含む制御チャネル送信装置を提供する。
【００１０】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【００１１】
上記第１の可能な実装方法を参照する第２の可能な実装方法において、マップユニットは、
各単位物理リソースブロックに含まれるリソース要素を少なくとも２つのグループに分割し、
各グループに含まれるＮ個のリソース要素をＮ個の位置にマップし、
すべてのグループにおける、Ｎ個の位置の中のＳ番目の位置に対応し、指定された数のｅＲＥＧの中の各ｅＲＥＧを形成するリソース要素から、指定された数のリソース要素を選択するようにさらに構成される。
【００１２】
上記第１または第２の可能な実装方法を参照する第３の可能な実装方法において、位置は、ＤＭＲＳポートに対応する。
【００１３】
別の態様において、本特許出願は、
制御チャネルを送信するための少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと、各ｅＣＣＥに含まれるｅＲＥＧとに従って、各単位物理リソースブロックにマップされるべき制御チャネルのｅＲＥＧ情報を決定するように構成されたプロセッサと、
ｅＲＥＧ情報に従って、各単位物理リソースブロックにおける指定された数のｅＲＥＧの中の、ｅＲＥＧ情報に対応する１つのｅＲＥＧに制御チャネルをマップするようにさらに構成されたプロセッサであり、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数である、プロセッサと、
各単位物理リソースブロックにおけるｅＲＥＧの位置において制御チャネルを送信するように構成された送信機であり、ｅＲＥＧはプロセッサによってマップされる、送信機、または、
各単位物理リソースブロックにおけるｅＲＥＧの位置において送信される制御チャネルを受信するように構成された受信機であり、ｅＲＥＧはプロセッサによってマップされる、受信機と、
を含む制御チャネル送信装置を提供する。
【００１４】
第１の可能な実装方法において、各単位物理リソースブロックに含まれるリソース要素は、
各単位物理リソースブロックにおけるすべてのリソース要素、または、
各単位物理リソースブロックにおけるすべてのリソース要素の中の、参照信号および／または他の制御チャネルがマップされたリソース要素以外のリソース要素、
を含む。
【００１５】
第１の可能な実装方法を参照する第２の可能な実装方法において、プロセッサは、
各単位物理リソースブロックに含まれるリソース要素を少なくとも２つのグループに分割し、
各グループに含まれるＮ個のリソース要素をＮ個の位置にマップし、
指定された数のｅＲＥＧの中の各ｅＲＥＧを形成するために、すべてのグループにおいて、Ｎ個の位置の中のＳ番目の位置に対応するリソース要素から指定された数のリソース要素を選択する、ようにさらに構成される。
【００１６】
上記第１または第２の可能な実装方法を参照する第３の可能な実装方法において、位置は、ＤＭＲＳポートに対応する。
【００１７】
本特許発明の実施形態において、制御チャネルが、各単位物理リソースブロックにおける指定された数のｅＲＥＧの中の、ｅＲＥＧ情報に対応するｅＲＥＧにマップされ、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数であり、それにより、制御チャネルはマップされたｅＲＥＧ上で送信され得、それにより、単位物理リソースブロックにおけるｅＲＥＧを介して、ｅＰＤＣＣＨ等の制御チャネルの送信を実装することが、上述の技術的解決策から知られ得る。
【図面の簡単な説明】
【００１８】
本特許出願の実施形態における技術的解決策をより明確に説明するために、実施形態を説明するために必要とされる添付の図面が以下簡単に紹介される。明らかに、以下の説明における添付の図面は、単に、本特許出願のいくつかの実施形態を示すだけであり、当業者はまた、これらの添付の図面から別の図面を創造的努力を必要とせずに導出し得る。
【００１９】
【図１】本特許出願の一実施形態による、制御チャネル送信方法の概略フローチャートである。
【図２】図１に示された実施形態における単位物理リソースブロックにおけるリソース要素の概略グルーピング図である。
【図３】図１に示された実施形態における単位物理リソースブロックにおけるリソース要素の概略グルーピング図である。
【図４】図１に示された実施形態における単位物理リソースブロックにおけるリソース要素の概略グルーピング図である。
【図５】図２乃至図４において示された各グループにおけるリソース要素のＤＭＲＳポート７、ＤＭＲＳポート８、ＤＭＲＳポート９、およびＤＭＲＳポート１０へのマッピングの概略図である。
【図６】図２乃至図４において示された各グループにおけるリソース要素のＤＭＲＳポート７、ＤＭＲＳポート８、ＤＭＲＳポート９、およびＤＭＲＳポート１０へのマッピングの概略図である。
【図７】図２乃至図４において示された各グループにおけるリソース要素の、ＤＭＲＳポート７、ＤＭＲＳポート８、ＤＭＲＳポート９、およびＤＭＲＳポート１０へのマッピングの概略図である。
【図８】単位物理リソースブロックにおける図６に示された各グループを介して取得される１６個のｅＲＥＧの位置の概略図である。
【図９】本特許出願の別の実施形態による、制御チャネル送信装置の概略構造図である。
【図１０Ａ】本特許出願の別の実施形態による、制御チャネル送信装置の概略構造図である。
【図１０Ｂ】本特許出願の別の実施形態による、制御チャネル送信装置の概略構造図である。
【図１１】図３において示された各グループにおけるリソース要素の、ＤＭＲＳポート７、ＤＭＲＳポート８、ＤＭＲＳポート９、およびＤＭＲＳポート１０へのマッピングの概略図である。
【図１２】図３において示された各グループにおけるリソース要素の、ＤＭＲＳポート７、ＤＭＲＳポート８、ＤＭＲＳポート９、およびＤＭＲＳポート１０へのマッピングの概略図である。
【図１３】単位物理リソースブロックにおける図１１に示された各グループを介して取得される１６個のｅＲＥＧの位置の概略図である。
【図１４】単位物理リソースブロックにおける図１２に示された各グループを介して取得される１６個のｅＲＥＧの位置の概略図である。
【発明を実施するための形態】
【００２０】
本特許出願の目的、技術的解決策、およびメリットをより理解しやすくするために、本特許出願の実施形態における技術的解決策が、以下に、本特許出願の実施形態における添付の図面を参照して明確に説明される。明らかに、説明される実施形態は、本特許出願の実施形態のすべてというよりも一部に過ぎない。本特許出願の実施形態に基づいて当業者によって創造的努力なしに取得されるすべての他の実施形態は、本特許出願の保護範囲の中に入る。
【００２１】
加えて、本明細書における用語「および／または」は、関連する対象間の関係を説明するだけであり、３つの関係が存在し得ることを示す。例えば、Ａおよび／またはＢは、以下の３つの場合を示し得る：Ａが単独で存在する、ＡおよびＢの両方が存在する、そして、Ｂが単独で存在する。加えて、本明細書における記号「／」は、一般に、関連する対象が「または」の関係にあることを示す。
【００２２】
ロング・ターム・エボリューション（Ｌｏｎｇ  Ｔｅｒｍ  Ｅｖｏｌｕｔｉｏｎ、ＬＴＥ）システム、またはロング・ターム・エボリューション・アドバンスト（Ｌｏｎｇ  Ｔｅｒｍ  Ｅｖｏｌｕｔｉｏｎ  Ａｄｖａｎｃｅｄ、ＬＴＥ−Ａｄｖａｎｃｅｄ）システム等の無線通信システムにおいては一般に、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）モードが、下りリンク多元接続モードとして採用されている。システムの下りリンク・リソースは、時間の観点からは、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルに分類され、周波数の観点からは、サブキャリアに分類される。
【００２３】
ＬＴＥリリース８／９／１０（ＬＴＥ  Ｒｅｌｅａｓｅ  ８／９／１０）標準によれば、１つの通常の下りリンク・サブフレームは、２つのタイムスロット（ｓｌｏｔ）を含み、各タイムスロットは、７つまたは６つのＯＦＤＭシンボルを有し、したがって、１つの通常の下りリンク・サブフレームは、合計で１４個のＯＦＤＭシンボルまたは１２個のＯＦＤＭシンボルを含む。ＬＴＥリリース８／９／１０標準はさらに、リソースブロック（Ｒｅｓｏｕｒｃｅ  Ｂｌｏｃｋ、ＲＢ）のサイズを定義する。すなわち、１つのリソースブロックは、周波数領域において１２個のサブキャリアを含み、時間領域において１時間長のサブフレームの半分（すなわち、１タイムスロット）、すなわち、７つまたは６つのＯＦＤＭシンボルを含む。１つのサブフレームにおいて、２つのタイムスロットの１対のリソースブロックは、リソースブロック・ペア（ＲＢ  ｐａｉｒ、ＲＢ  ｐａｉｒ）と呼ばれる。実際の送信において、物理リソースのために使用されるリソースブロック・ペアはまた、物理リソースブロック・ペア（Ｐｈｙｓｉｃａｌ  ＲＢ  ｐａｉｒ、ＰＲＢ  ｐａｉｒ）と呼ばれ、一般に、単位物理リソースブロックとして参照される。従って、以下において説明されるＰＲＢ、ＰＲＢペア、物理リソースブロック、および物理リソースブロック・ペアは、すべてＰＲＢペアと呼ばれる。
【００２４】
サブフレームにおいて運ばれるデータは、サブフレームの物理時間周波数リソースから分割された物理チャネル上のマッピングのために配置される。物理チャネルは実質的に２つのタイプ：制御チャネルおよびサービスチャネルに分類される。それに対応して、制御チャネル上で運ばれるデータは制御データ（一般に制御情報として参照され得る）と呼ばれ得、そして、サービスチャネル上で運ばれるデータは、サービスデータ（一般にデータとして参照され得る）と呼ばれ得る。サブフレームの送信の基本的な目的はサービスデータの送信であり、制御チャネルは、サービスデータの送信を助けるために使用される。
【００２５】
ＬＴＥシステムにおいて、１つの完全な物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）は、１以上の制御チャネル要素（Ｃｏｎｔｒｏｌ  Ｃｈａｎｎｅｌ  Ｅｌｅｍｅｎｔ、ＣＣＥ）にマップされ得る。ＬＴＥリリース８／９／１０によれば、１つのＰＤＣＣＨは、１つ、２つ、４つ、または８つのＣＣＥにマップされ得、すなわち、１つ、２つ、４つ、または８つのＣＣＥで形成され得、それぞれ、集約レベル１、２、４、または８に対応し得る。
【００２６】
多入力多出力（Ｍｕｌｔｉｐｌｅ  Ｉｎｐｕｔ  Ｍｕｌｔｉｐｌｅ  Ｏｕｔｐｕｔ、ＭＩＭＯ）および多地点協調（Ｃｏｏｒｄｉｎａｔｅｄ  Ｍｕｌｔｉｐｌｅ  Ｐｏｉｎｔｓ、ＣｏＭＰ）等の技術の導入に伴って、プリコーディング・モードに基づいて送信される物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、すなわち、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）が導入される。ｅＰＤＣＣＨは、ユーザ装置（Ｕｓｅｒ  Ｅｑｕｉｐｍｅｎｔ、ＵＥ）が、特定の参照信号、すなわち、復調参照信号（Ｄｅｍｏｄｕｌａｔｉｏｎ  Ｒｅｆｅｒｅｎｃｅ  Ｓｉｇｎａｌ、ＤＭＲＳ）に基づいて復調を実行することを可能にする。各ｅＰＤＣＣＨは、それでも、ＣＣＥに類似するｋ個の論理要素（該論理要素は本明細書において拡張制御チャネル要素（Ｅｎｈａｎｃｅｄ  Ｃｏｎｔｒｏｌ  Ｃｈａｎｎｅｌ  Ｅｌｅｍｅｎｔ、ｅＣＣＥ）として定義される）にマップされ得、ＵＥは、端末側においてブラインド検出を実行する必要がある。ＰＤＣＣＨの集約レベルの定義に従って、集約レベルＬ（Ｌ＝１、２、４、または８）のｅＰＤＣＣＨは、Ｌ個のｅＣＣＥにマップされ得、すなわち、Ｌ個のｅＣＣＥで形成され得る。１つのｅＣＣＥは１以上のｅＲＥＧで形成される。
【００２７】
図１は、図１に示されるように、本特許出願の一実施形態による、制御チャネル送信方法の概略フローチャートである。該方法は以下を含む。
【００２８】
１０１：制御チャネルを送信するための少なくとも１つの単位物理リソースブロックを決定する決定ステップであり、各単位物理リソースブロックに含まれるリソース要素は、Ｍ個のグループに分割され、各グループはＮ個のリソース要素を含み、Ｎ個のリソース要素はＮ個の位置に対応し、Ｍは、２以上の整数であり、Ｎは、１以上の整数である、決定ステップ。
【００２９】
１０２：制御チャネルの集約レベルおよび各ｅＣＣＥに含まれるｅＲＥＧに従って、各単位物理リソースブロックにマップされるべき制御チャネルのｅＲＥＧ情報を決定する決定ステップ。
【００３０】
１０３：ｅＲＥＧ情報に従って、各単位物理リソースブロックにおける指定された数のｅＲＥＧの中の、ｅＲＥＧ情報に対応するｅＲＥＧに制御チャネルをマップするマップステップであり、指定された数のｅＲＥＧの中の各ｅＲＥＧは、指定された数のリソース要素によって形成され、指定された数のリソース要素は、各グループにおけるＳ番目の位置における対応するリソース要素から選択され、ＳはＮ以下の正の整数である、マップステップ。
【００３１】
１０４：マップされたｅＲＥＧ上で制御チャネルを送信する送信ステップ。
【００３２】
制御チャネルは、特に、拡張された物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００３３】
オプション的に、本実施形態の可能な実装方法において、１０２において、特に、各単位物理リソースブロックにマップされるべき制御チャネルのｅＣＣＥ情報は、制御チャネルの集約レベルに従って決定され得る。そして、各単位物理リソースブロックにマップされるべき制御チャネルのｅＲＥＧ情報は、ｅＣＣＥ情報に対応する各ｅＣＣＥに含まれるｅＲＥＧに従って決定され得る。
【００３４】
特に、１０２において、決定されたｅＲＥＧ情報は、ｅＲＥＧの数およびｅＲＥＧ識別子を含み得る。
【００３５】
オプション的に、本実施形態の可能な実装方法において、各単位物理リソースブロックに含まれるリソース要素は、各単位物理リソースブロックにおけるすべてのリソース要素を含み得る。
【００３６】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００３７】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００３８】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００３９】
オプション的に、本実施形態の可能な実装方法において、１０３の前に、各単位物理リソースブロックに含まれるリソース要素は、少なくとも２つのグループにさらに分割され得、そして、各グループに含まれるＮ個のリソース要素はＮ個の位置にマップされ、そして、指定された数のリソース要素が、すべてのグループにおける、Ｎ個の位置の中のＳ番目の位置に対応するリソース要素から選択されて指定された数のｅＲＥＧの中の各ｅＲＥＧを形成する。特に、Ｎ行Ｍ列を用いた行入列出インターリーバ（ｒｏｗ−ｉｎ  ｃｏｌｕｍｎ−ｏｕｔ  ｉｎｔｅｒｌｅａｖｅｒ）が採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００４０】
オプション的に、本実施形態における可能な実装方法において、位置は、ＤＭＲＳポートにさらに対応し得る。
【００４１】
１つの単位物理リソースブロック（合計で１６８個のリソース要素を含む）が周波数領域において１２個のサブキャリアを含み、時間領域において１４個のＯＦＤＭシンボルを含むことは、以下における１つの例とされる。位置は、ＤＭＲＳポート７、ＤＭＲＳポート８、ＤＭＲＳポート９、およびＤＭＲＳポート１０に対応し、ここで、７、８、９、および１０は、すべてＤＭＲＳポートのシリアル番号である。
【００４２】
図２乃至図４において示されているように、水平の線によってマークされた影の部分は、ＤＭＲＳによってマップされたリソース要素を表す。図２乃至図４は、概略グルーピング図であり、（ＤＭＲＳによってマップされた２４個のリソース要素を含む）１６８個のリソース要素によって形成された単位物理リソースブロックにおいて、ＤＭＲＳによってマップされた２４個のリソース要素が除かれた後、残りのリソース要素が３６個のグループに分割されている（そのシリアル番号は１から３６である。）。図において、各四角はリソース要素を表し、垂直方向は周波数領域のリソースを表し、水平方向は時間領域のリソースを表し、四角内のシリアル番号Ｘは、グループのシリアル番号を表している。
【００４３】
図５乃至図７において示されているように、水平の線によってマークされた影の部分は、ＤＭＲＳによってマップされたリソース要素を表す。図５乃至図７は、図２乃至図４において示された各グループにおけるリソース要素の、ＤＭＲＳポート７、ＤＭＲＳポート８、ＤＭＲＳポート９、およびＤＭＲＳポート１０へのマッピングの概略図である。各四角はリソース要素を表し、垂直方向は周波数領域のリソースを表し、水平方向は時間領域のリソースを表し、四角内のシリアル番号Ｘ（Ｙ）は、グループのシリアル番号ＸおよびＤＭＲＳポートのシリアル番号Ｙを表している。
【００４４】
留意すべきことは、図５乃至図７は、各グループにおけるリソース要素のＤＭＲＳポート７、ＤＭＲＳポート８、ＤＭＲＳポート９、およびＤＭＲＳポート１０へのマッピングのマッピングのいくつかの例を示すに過ぎないということである。例えば、マッピング規則は｛７、８、９、１０｝であり、｛７、９、８、１０｝等の他のマッピング規則もまた、本実施形態に適用可能である。特定の例が図１１乃至図１２において示されているが、本実施形態においてこれらに限定されない。
【００４５】
留意すべきことは、本実施形態において提供される技術的解決策は、ＤＭＲＳポートの他の番号、例えば、ＤＭＲＳポート｛７、９｝またはＤＭＲＳ｛８、１０｝に適用され得、この場合、マッピング規則は、｛７、９、７、９｝または｛８、１０、８、１０｝であり得るということである。
【００４６】
図３において示されているグルーピングを例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図６において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図８において示されるように、水平の線によってマークされた影の部分はＤＭＲＳによってマップされたリソース要素を表す。図８において、各四角はリソース要素を表し、垂直方向は周波数領域のリソースを表し、水平方向は時間領域のリソースを表し、四角内のシリアル番号Ｚは指定された数のｅＲＥＧにおける各ｅＲＥＧのシリアル番号を表す。
【００４７】
図３において示されるグルーピングを依然として例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図１１において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図１３において示されるように、水平の線によってマークされた影の部分はＤＭＲＳによってマップされたリソース要素を表す。図１３において、各四角はリソース要素を表し、垂直方向は周波数領域のリソースを表し、水平方向は時間領域のリソースを表し、四角内のシリアル番号Ｚは指定された数のｅＲＥＧにおける各ｅＲＥＧのシリアル番号を表す。
【００４８】
図３において示されるグルーピングを依然として例として、もし、各単位物理リソースブロックが１６個のｅＲＥＧを持ち、各ｅＲＥＧが９個のリソース要素によって形成されると想定するならば、９行４列を用いた行入列出インターリーバが特に採用され得、図１２において示された３６グループにおける同じ位置にマップされるリソース要素は、インターリーバの入力として使用され、インターリーバによる各列出力は１つのｅＲＥＧに対応し、それによって単位物理リソースブロックにおける１６個のｅＲＥＧの位置の概略図を得る。図１４において示されるように、水平の線によってマークされた影の部分はＤＭＲＳによってマップされたリソース要素を表す。図１４において、各四角はリソース要素を表し、垂直方向は周波数領域のリソースを表し、水平方向は時間領域のリソースを表し、四角内のシリアル番号Ｚは指定された数のｅＲＥＧにおける各ｅＲＥＧのシリアル番号を表す。
【００４９】
もし、各単位物理リソースブロックが８個のｅＲＥＧを持ち、各ｅＲＥＧが１８個のリソース要素によって形成されると想定するならば、本実施形態において提供される技術的解決策は、単位リソースブロックにおける指定された数のｅＲＥＧの位置を取得することを採用し得るか、または、図８に示される２つずつのｅＲＥＧが、１つのｅＲＥＧに直接統合され得る。
【００５０】
本実施形態において、制御チャネルはｅＲＥＧにマップされ、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、制御チャネルはマップされたｅＲＥＧ上で送信され得、それによって、単位物理リソースブロックにおけるｅＲＥＧを介して、ｅＰＤＣＣＨ等の制御チャネルの送信が実装される。
【００５１】
上述の方法の実施形態について、説明を簡単にするために、該方法は一連の動作の組合せとして説明されているが、本特許出願によれば、いくつかのステップは別の順序において実行され得るので、または同時に実行され得るので、本特許出願は、説明された動作の順序によって制限されないことを当業者は理解するということに留意すべきである。そして、当業者はまた、本明細書において記載された実施形態は例示の実施形態であり、その中に含まれる動作およびモジュールは、本特許出願にとって不可欠ではないことを理解すべきである。
【００５２】
上述の実施形態において、実施形態の説明は異なる点が強調され、ある実施形態において詳しく説明されなかった部分については、他の実施形態の関連する説明が参照され得る。
【００５３】
図９は、本特許出願の他の実施形態に従った、制御チャネル送信装置の概略構造図である。図９に示されるように、本実施形態における制御チャネル送信装置は、決定ユニット９１、マップユニット９２、および送信ユニット９３を含み得る。決定ユニット９１は、制御チャネルを送信するために、少なくとも１つの単位物理リソースブロックを決定し、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルと、各ｅＣＣＥに含まれるｅＲＥＧに従って、各単位物理リソースブロックにマップされるべき制御チャネルのｅＲＥＧ情報を決定し、該ｅＲＥＧ情報をマップユニット９２に送信するように構成される。マップユニット９２は、ｅＲＥＧ情報に従って、制御チャネルを、各単位物理リソースブロックにおける指定された数のｅＲＥＧの中の、該ｅＲＥＧ情報に対応するｅＲＥＧにマップするように構成され、ここで、指定された数のｅＲＥＧの中の各ｅＲＥＧは指定された数のリソース要素によって形成され、該指定された数のリソース要素は、各グループにおけるＳ番目の位置における対応するリソース要素から選択され、Ｓは、Ｎ以下の正の整数である。送信ユニット９３は、マップユニット９２によってマップされたｅＲＥＧ上で制御チャネルを送信するように構成される。
【００５４】
制御チャネルは特に、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００５５】
オプション的に、本実施形態の可能な実装方法において、決定ユニット９１は特に、制御チャネルの集約レベルに従って、各単位物理リソースブロックにマップされるべき制御チャネルのｅＣＣＥ情報を決定し得、また、該ｅＣＣＥ情報に対応する各ｅＣＣＥ含まれるｅＲＥＧに従って、各単位物理リソースブロックにマップされるべき制御チャネルのｅＲＥＧ情報を決定し得る。
【００５６】
特に、決定ユニット９１によって決定されたｅＲＥＧ情報は、ｅＲＥＧの数およびｅＲＥＧ識別子を含み得る。
【００５７】
オプション的に、本実施形態の可能な実装方法において、各単位物理リソースブロックに含まれるリソース要素は、各単位物理リソースブロックにおけるすべてのリソース要素を含み得る。
【００５８】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００５９】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００６０】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００６１】
オプション的に、本実施形態の可能な実装方法において、マップユニット９２はさらに、各単位物理リソースブロックに含まれるリソース要素を、少なくとも２つのグループに分割し得、そして、各グループに含まれるＮ個のリソース要素をＮ個の位置にマップし得、そして、すべてのグループにおける、Ｎ個の位置の中のＳ番目の位置に対応するリソース要素から指定された数のリソース要素を選択して、指定された数のｅＲＥＧの中の各ｅＲＥＧを形成し得る。特に、Ｎ行Ｍ列を用いた行入列出インターリーバが採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００６２】
オプション的に、本実施形態の可能な実装方法において、位置は、ＤＭＲＳポートにさらに対応し得る。
【００６３】
本実施形態において、マップユニットは、制御チャネルをｅＲＥＧにマップし、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、送信ユニットは、マップユニットによってマップされたｅＲＥＧ上で制御チャネルを送信し得、それによって、単位物理リソースブロックにおけるｅＲＥＧを介して、ｅＰＤＣＣＨ等の制御チャネルの送信が実装される。
【００６４】
図１０Ａおよび図１０Ｂは、本特許出願の他の実施形態に従った、制御チャネル送信装置の概略構造図である。図１０Ａおよび図１０Ｂに示されるように、本実施形態における制御チャネル送信装置は、プロセッサ１００１および送信機１００２、または、プロセッサ１００１および受信機１００３、を含み得る。プロセッサ１００１は、制御チャネルを送信するために少なくとも１つの単位物理リソースブロックを決定するように構成され、ここで、各単位物理リソースブロックに含まれるリソース要素はＭ個のグループに分割され、各グループはＮ個のリソース要素を含み、Ｎ個のリソース要素はＮ個の位置に対応し、Ｍは２以上の整数であり、Ｎは１以上の整数であり、制御チャネルの集約レベルおよび各ｅＣＣＥに含まれるｅＲＥＧに従って、各単位物理リソースにマップされるべき制御チャネルのｅＲＥＧ情報を決定するように構成される。プロセッサ１００１はさらに、制御チャネルを、ｅＲＥＧ情報に従って、各単位物理リソースブロックにおける指定された数のｅＲＥＧの中のｅＲＥＧに対応するｅＲＥＧにマップするように構成される。ここで、指定された数のｅＲＥＧの中の各ｅＲＥＧは指定された数のリソース要素によって形成され、該指定された数のリソース要素は、各グループのＳ番目の位置における対応するリソース要素から選択され、ＳはＮ以下の正の整数である。送信機１００２は、各単位物理リソースブロックにおけるｅＲＥＧの位置において制御チャネルを送信するように構成される。ここで、ｅＲＥＧはプロセッサ１００１によってマップされる。
【００６５】
受信機１００３は、各単位物理リソースブロックにおけるｅＲＥＧの位置において送信される制御チャネルを受信するように構成される。ここで、ｅＲＥＧはプロセッサ１００１によってマップされる。
【００６６】
制御チャネルは特に、拡張物理下りリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）であり得る。
【００６７】
オプション的に、本実施形態の可能の実装方法において、プロセッサ１００１は、制御チャネルの集約レベルに従って、各単位物理リソースブロックにマップされるべき制御チャネルのｅＣＣＥ情報を決定し得、また、該ｅＣＣＥ情報に対応する各ｅＣＣＥ含まれるｅＲＥＧに従って、各単位物理リソースブロックにマップされるべき制御チャネルのｅＲＥＧ情報を決定し得る。
【００６８】
特に、プロセッサ１００１によって決定されたｅＲＥＧ情報は、ｅＲＥＧの数およびｅＲＥＧ識別子を含み得る。
【００６９】
オプション的に、本実施形態の可能な実装方法において、各単位物理リソースブロックに含まれるリソース要素は、各単位物理リソースブロックにおけるすべてのリソース要素を含み得る。
【００７０】
オプション的に、本実施形態の可能な実装方法において、各単位物理リソースブロックに含まれるリソース要素は、各単位物理リソースブロックにおけるすべてのリソース要素の中の、参照信号および／または他の制御チャネルがマップされたリソース要素以外のリソース要素を含み得る。
【００７１】
参照信号は、これらに限定されないが、共通参照信号（Ｃｏｍｍｏｎ  Ｒｅｆｅｒｅｎｃｅ  Ｓｉｇｎａｌ、ＣＲＳ）、ＤＭＲＳ、チャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ−ＲＳ）、および、ポジショニング参照信号（Ｐｏｓｉｔｉｏｎｉｎｇ  Ｒｅｆｅｒｅｎｃｅ  Ｓｉｇｎａｌ、ＰＲＳ）、の少なくとも１つを含み得る。
【００７２】
他の制御チャネルは、特に、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理制御フォーマット・インジケータ・チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、および物理ハイブリッド自動繰り返しインジケータ・チャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）の少なくとも１つであり得る。
【００７３】
オプション的に、本実施形態の可能な実装方法において、プロセッサ１００１はさらに、各単位物理リソースブロックに含まれるリソース要素を、少なくとも２つのグループに分割し得、そして、各グループに含まれるＮ個のリソース要素をＮ個の位置にマップし得、そして、すべてのグループにおける、Ｎ個の位置の中のＳ番目の位置に対応するリソース要素から指定された数のリソース要素を選択して、指定された数のｅＲＥＧの中の各ｅＲＥＧを形成し得る。特に、Ｎ行Ｍ列を用いた行入列出インターリーバが採用され得、ここで、Ｎはリソース要素の指定された数の総数であり、Ｍは、位置の指定された数の総数であり、すべてのグループにおける同じ位置にマップされるリソース要素はインターリーバの入力として使用され、インターリーバによる各列出力は、１つのｅＲＥＧに対応し得る。
【００７４】
オプション的に、本実施形態の可能な実装方法において、位置は、ＤＭＲＳポートにさらに対応し得る。
【００７５】
本実施形態において、プロセッサは、制御チャネルをｅＲＥＧにマップし、該ｅＲＥＧは、各単位物理リソースブロックにおける指定された数のｅＲＥＧの中の、決定されたｅＲＥＧ情報に対応し、該指定された数のｅＲＥＧの中の各ｅＲＥＧは、指定された数のリソース要素によって形成され、該指定された数のリソース要素は、各グループにおけるＳ番目の位置における対応するリソース要素から選択され、Ｓは、Ｎ以下の正の整数であり、そのため、送信機１００２は、プロセッサ１００１によってマップされたｅＲＥＧ上で制御チャネルを送信し得、それによって、単位物理リソースブロックにおけるｅＲＥＧを介して、ｅＰＤＣＣＨ等の制御チャネルの送信が実装される。
【００７６】
当業者によって明確に理解され得べきことは、便利で簡単な説明を目的として、上述の特定の作業プロセス、デバイスおよびユニットについて、方法実施形態における対応するプロセスが参照され得、詳細は本明細書において繰り返し説明されないということである。
【００７７】
本特許出願において提供されるいくつかの実施形態において、理解されるべきことは、開示されたシステム、デバイス、および方法は、他の方法において実装され得るということである。例えば、説明されたデバイスの実施形態は単なる例示に過ぎない。例えば、ユニット分割は単なる論理的機能分割に過ぎず、実際に実装において他の分割であり得る。例えば、複数のユニットまたはコンポーネントは、組み合わされ、または統合されて別のシステムとなり得、また、いくつかの特徴は無視され、または実行されない。加えて、示された、または議論された結合または直接的結合または通信接続は、いくつかのインターフェイスを介して達成され得、そしてデバイスまたはユニット間の間接的結合または通信接続は、電気的、機械的、または他の形であり得る。
【００７８】
別々のコンポーネントとして説明されたユニットは物理的に別々であり得、または別々でなくもあり得る。ユニットとして示されたコンポーネントは、物理的なユニットであり得、または物理的なユニットでなくもあり得る。すなわち、複数のネットワーク・ユニット上に統合または分散し得る。ユニットの一部またはすべては、実際に要求に従った実施形態の解決策の目的を達成するために選択され得る。
【００７９】
加えて、本特許出願の実施形態におけるさまざまな機能ユニットは、１つの処理ユニットに統合され得、または、さまざまな別々の物理ユニットとして存在し得、また、２以上のユニットがまた、１つのユニットに統合され得る。統合されたユニットは、ハードウェアを介して実装され得、または、ハードウェアおよびソフトウェア機能ユニットという形において実装され得る。
【００８０】
ソフトウェア機能ユニットの形において実装された統合ユニットは、コンピュータ可読記憶媒体内に格納され得る。該ソフトウェア機能ユニットは記憶媒体内に格納され、該記憶媒体は、コンピュータ装置（パーソナルコンピュータ、サーバ、またはネットワーク装置等）またはプロセッサ（プロセッサ）に、本特許出願の実施形態において説明されたような方法のステップの一部を実行するように命令するためのいくつかの命令を含む。記憶媒体は、ＵＳＢフラッシュディスク、モバイル・ハードディスク、リードオンリーメモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、または光ディスク等の、プログラムコードを格納できるさまざまな媒体を含む。
【００８１】
最後に、留意すべきことは、上述の実施形態は本特許発明の技術的解決策を説明するために提供されたに過ぎず、本特許発明を制限することを意図するものではないということである。本特許出願が上述の実施形態を参照して詳細に説明されてきたが、そのような修正または置換が、対応する技術的解決策の本質を、本特許出願の範囲から逸脱させないならば、上述の実施形態において説明された技術的解決策に対して、それでも修正をすることが可能であり、また、技術的解決策におけるいくつかの技術的特徴に対して均等の置換をすることが可能であることは、当業者によって理解されるべきである。
【国際調査報告】
2015519014.tif 000018
2015519014.tif 000019
2015519014.tif 000020
2015519014.tif 000021